(57)【要約】【課題】  機体側からダイをわざわざ取り外したりすることなく、ノックアウトピンのみをダイから直接取り出して交換できるようにする。【解決手段】  圧造成形機におけるノックアウト装置のノックアウトピン６をストレートの円柱状とし、その長さ方向中間部に前、後端部よりも小径な小径軸部６ａを形成する。ダイ３の貫通孔３ｂ中間部位置に、その貫通孔３ｂ内に半径方向から出退可能で常時は貫通孔３ｂ内におけるノックアウトピン６の小径軸部６ａ内に突出してノックアウトピン６の前後移動範囲を一定範囲に規制し、ノックアウトピン６の交換時に上記貫通孔３ｂから退出してノックアウトピン６との係合関係を解除し、ノックアウトピン６のダイ３からの取り出しを許すストッパーピン１１を備えたロック機構１０を設けた。【選択図】図１
0003151629.tif 000002
【実用新案登録請求の範囲】
【請求項１】
ダイの貫通孔内に前後移動可能に支持されると共に、後端が蹴り出しロッドピンの先端に当接され、成形後にダイ内から成形品を外部に蹴り出して排出するノックアウトピンを備えた圧造成形機におけるノックアウト装置であって、ノックアウトピンがストレートの円柱状で、その長さ方向中間部に前、後端部よりも小径な小径軸部が形成されている一方、ダイの貫通孔中間部においてその貫通孔内に半径方向から出退可能で常時は貫通孔内におけるノックアウトピンの小径軸部内に突出してノックアウトピンの前後移動範囲を一定範囲に規制し、ノックアウトピンの交換時に上記貫通孔から退出してノックアウトピンとの係合関係を解除し、ノックアウトピンのダイからの取り出しを許すストッパーピンを備えたロック機構が設けられていることを特徴とする圧造成形機におけるノックアウト装置。
【請求項２】
ダイにおける貫通孔の中間部に、その半径方向に延びる連通孔が形成されていると共に、その連通孔の中間部にストッパーピンの保持室が形成されている一方、ロック機構が、上記保持室に収容されかつ連通孔を介してノックアウトピンの貫通孔内に出退可能に収容されるストッパーピンと、ストッパーピンを上記貫通孔から退出する方向に付勢するばねと、ストッパーピンをばねに抗して上記貫通孔内に突出させる作動ロッドと、作動ロッドをストッパーピンの出退方向に伸縮させる作動手段とから構成されていることを特徴とする請求項１記載の圧造成形機におけるノックアウト装置。
【考案の詳細な説明】
【技術分野】
【０００１】  本考案はダイの貫通孔内に前後移動可能に支持されると共に、後端が蹴り出しロッドピンの先端に当接され、成形後にダイ内から成形品を外部に蹴り出して排出するノックアウトピンを備えた圧造成形機におけるノックアウト装置に関する。
【背景技術】
【０００２】  一般に、ノックアウトピンの先端が破損したり又は劣化したり或いはピッチング現象が発生するような場合にノックアウトピンを交換している。その場合、ノックアウトピンがダイから抜け出すことがないようにノックアウトピンの後端部にはダイからの抜け止め用フランジ部が設けられていることから、ノックアウトピンを保持した状態のままダイを機台側から取り出し、そのうえでダイの後部からノックアウトピンを抜き出して、新たなノックアウトピンに交換し、その後、ノックアウトピンを保持した状態でダイを機台側に再びセットすることにより交換を行っている。
【考案の開示】
【考案が解決しようとする課題】
【０００３】  ところが、上記したノックアウト装置によれば、上記したようにノックアウトピンを保持した状態のままダイを機台側から取り出し、そのうえでダイの後部からノックアウトピンを抜き出し、新たなノックアウトピンに交換したうえで、ダイを機台側に再びセットしなければならないことから、その交換が非常に面倒で手間を要する問題があった。【０００４】  そこで、本考案は、機台側からダイをわざわざ取り外したり、組み付けたりすることなく、ノックアウトピンのみをダイから直接取り出して交換することができる圧造成形機におけるノックアウト装置の提供を課題とする。
【課題を解決するための手段】
【０００５】  上記した課題を解決するために本願の請求項１記載の考案は、ダイの貫通孔内に前後移動可能に支持されると共に、後端が蹴り出しロッドピンの先端に当接され、成形後にダイ内から成形品を外部に蹴り出して排出するノックアウトピンを備えた圧造成形機におけるノックアウト装置であって、ノックアウトピンがストレートの円柱状で、その長さ方向中間部に前、後端部よりも小径な小径軸部が形成されている一方、ダイの貫通孔中間部位置に、その貫通孔内に半径方向から出退可能で常時は貫通孔内におけるノックアウトピンの小径軸部内に突出してノックアウトピンの前後移動範囲を一定範囲に規制し、ノックアウトピンの交換時に上記貫通孔から退出してノックアウトピンとの係合関係を解除し、ノックアウトピンのダイからの取り出しを許すストッパーピンを備えたロック機構が設けられていることを特徴とする。【０００６】  また、本願の請求項２記載の考案は、請求項１に記載の構成においてダイにおける貫通孔の中間部に、その半径方向に延びる連通孔が形成されていると共に、その連通孔の中間部にストッパーピンの保持室が形成されている一方、ロック機構が、上記保持室に収容されかつ連通孔を介してノックアウトピンの貫通孔内に出退可能に収容されるストッパーピンと、ストッパーピンを上記貫通孔から退出する方向に付勢するばねと、ストッパーピンをばねに抗して上記貫通孔内に突出させる作動ロッドと、作動ロッドをストッパーピンの出退方向に伸縮させる作動手段とから構成されていることを特徴とする。
なお、作動手段とは、エアーシリンダ、油圧シリンダ、サーボモータを含む概念である。
【考案の効果】
【０００７】  本考案によれば、上記した構成によりノックアウトピンが破損したり又は劣化したり或いはピッチング現象が発生してノックアウトピンを交換するような場合、ロック機構を解除操作することにより、ストッパーピンをダイの貫通孔内から退出させて該ストッパーピンのノックアウトピンとの係合関係を解除し、その解除状態のもとでノックアウトピンを蹴り出しロッドピンでダイの貫通孔から外方に蹴り出し引き抜いて取り出す。そして、ロック機構を解除操作した状態で新たなノックアウトピンをダイの貫通孔内に挿入し、その後、ロック機構を再びロック状態に操作することにより、ストッパーピンをダイの貫通孔内に突入させ、ストッパーピンをノックアウトピンの中間部における小径軸部内に突出させてノックアウトピンの移動範囲を規制することにより簡単容易にかつ迅速に交換することができる。【０００８】  また、ダイにおける貫通孔の中間部に、その半径方向に延びる連通孔が形成されていると共に、その連通孔の中間部にストッパーピンの保持室が形成されている一方、ロック機構が、上記保持室に収容されかつ連通孔を介してノックアウトピンの貫通孔内に出退可能に収容されるストッパーピンと、ストッパーピンを上記貫通孔から退出する方向に付勢するばねと、ストッパーピンをばねに抗して上記貫通孔内に突出させる作動ロッドと、作動ロッドをストッパーピンの出退方向に伸縮させる作動手段とからなる構成とすれば、ロック機構を、ダイ内に収容されノックアウトピンと係合するストッパーピン側と、作動手段により進退動してストッパーピンを作動する作動ロッド側とに分離して構成することができる。これにより、蹴り出し時にストッパーピン側に作用する荷重が直接作動ロッドや作動手段側にかかる不具合を防止することができる。その上、ダイ内にストッパーピン側をコンパクトにまとめて収容できるので、ロック機構の組み付けが簡単容易に行うことができるし、また、ストッパーピンのみの交換もダイの取り出しにより簡単容易に行うことができる。
【考案を実施するための最良の形態】
【０００９】  以下、本考案の実施の形態を図面に基づいて説明する。【００１０】  図１及び図２は、本考案に係る圧造成形機におけるノックアウト装置を示すもので、１は機体、２は機体に取り付けられたダイブロック、３はダイブロックに着脱可能に保持されるダイであり、４はパンチ５を保持し、かつダイ２に対し前後動するラムである。ダイ３は成形孔３ａとその底部中心部から後方に貫通する貫通孔３ｂを有している。なお、ダイ３において例えば貫通孔３ｂが成形孔３ａを兼用する構造であってもよい。【００１１】  ６はノックアウトピンで、ダイ２の貫通孔２ｂ内に前後移動可能に支持されると共に、後端が蹴り出しロッドピン７の先端に当接されている。蹴り出しロッドピン７は、ダイブロック２及び機台１に摺動可能に支持されると共に、その後端部にはノックアウト機構（図示せず）が設けられている。ノックアウト機構はダイ３とパンチ５による成形後に蹴り出しロッドピン７と共にノックアウトピン６をダイ２側に蹴り出し、成形品（図示せず）をダイの外方に蹴り出すようになされている。【００１２】  そして、ノックアウトピン６は、ストレートの円柱状でその長さ方向中間部に前、後端部よりも小径な小径軸部６ａが形成されている一方、ダイ３の貫通孔３ｂ中間部位置に、その貫通孔３ｂ内に半径方向から出退可能で常時は貫通孔３ｂ内におけるノックアウトピン６の小径軸部６ａ内に突出してノックアウトピン６の前後移動範囲を一定範囲に規制し、ノックアウトピン６の交換時に貫通孔３ｂから退出してノックアウトピン６との係合関係を解除し、ノックアウトピン６のダイ３からの取り出しを許すストッパーピン１１を備えたロック機構１０が設けられている。【００１３】  具体的には、ダイ３における貫通孔３ｂの中間部に、その半径方向に延びる連通孔３ｃが形成されていると共に、連通孔３ｃの中間部にストッパーピン１１の保持室３ｄが形成されている。一方、ロック機構１０は、保持室３ｄに収容されかつ連通孔３ｃを介して貫通孔３ｂ内に出退可能に収容されるストッパーピン１１と、ストッパーピン１１を貫通孔３ｂから退出する方向に付勢するばね１２と、ストッパーピン１１をばね１２に抗して貫通孔３ｂ内に突出させる作動ロッド１３と、作動ロッド１３をストッパーピン１１側に伸縮させるシリンダ（作動手段）１４とから構成されている。なお、作動手段１４としては、エアーシリンダ、油圧シリンダ、サーボモータなどを適宜用いればよい。【００１４】  ストッパーピン１１は、円柱状で先端に連通孔３ｃに挿入される小径先端部１１ａを有し、後端にばね１２を受け止める鍔部１１ｂを有している。そして、ストッパーピン１１はばね１２と共に保持室３ｄ内に挿入された後、中央に作動ロッド１３の挿通孔１５ａを有する保持室３ｄの開口部を閉鎖する蓋体１５により内蔵される。【００１５】  シリンダ１４は機体１の外部に設けられると共に、このシリンダ１４に備えられた作動ロッド１３は、機体１とダイブロック２に形成された各貫通孔１ａ，２ａ及び蓋体１５の挿通孔１５ａを貫通してストッパーピン１１の鍔部１１ｂの後面に当接している。そして、常時はシリンダ１４による作動ロッド１３の伸長動作によりストッパーピン１１をばね１���に抗してノックアウトピン６側に押し込んで、ストッパーピン１１の小径先端部１１ａをノックアウトピン６の小径軸部６ａ内に突入させてノックアウトピン６の前後移動範囲を一定範囲に規制する。また、ノックアウトピン６の交換時はシリンダ１４による作動ロッド１３の短縮動作によりストッパーピン１１をばね１２の付勢力により蓋体１５側に後退させて、ノックアウトピン１１との係合を解除してノックアウトピン１１のダイ３からの取り出しを許すようになされている。【００１６】  次に以上のように構成した圧造成形機におけるノックアウト装置の作用について説明する。【００１７】  パンチ５が前進してダイ３に打ち込まれた材料を成形する際には、ノックアウトピン６は、図１に示す位置にあってダイ３の成形孔３ａの底部を構成して打ち込まれた材料を支持する。この成形時ノックアウトピン６は、圧縮荷重を受けることになるが蹴り出しロッドピン７によりその荷重は受け止められる。また、成形後にはノックアウト機構による蹴り出しロッドピン７の前方への蹴り出し移動に伴ってノックアウトピン６は、ストッパーピン１１が許す一定範囲で前進し、成形品をダイ３から外部へ押し出すことになる。【００１８】  そして、たとえばノックアウトピン６が破損したり又は劣化したり或いはピッチング現象が発生したことによりノックアウトピン６を交換するような場合、ロック機構１０のシリンダ１４を解除操作することにより、作動ロッド１３を短縮させる。これにより、ストッパーピン１１をばね１２により蓋体１５に当接する解除位置に後退させてストッパーピン１１の小径先端部１１ａをダイ３の貫通孔３ｂ内から退出させる。これにより該ストッパーピン１１の小径先端部１１ａとノックアウトピン６、つまり小径軸部６ａ部分との係合関係を解除し、その解除状態のもとでノックアウトピン６を蹴り出しロッドピン７でダイ３の貫通孔３ｂから外方に蹴り出し引き抜いて取り出す。そして、ロック機構１０を解除操作した状態で新たなノックアウトピン６をダイ３の貫通孔３ｂ内に挿入する。その後、ロック機構１０のシリンダ１４を再びロック状態に操作することにより、作動ロッド１３を伸長させ、ストッパーピン１１をばね１２に抗してダイ３の貫通孔３ｂ側に進出させ、ストッパーピン１１の小径先端部１１ａをノックアウトピン６の中間部における小径軸部６ａに係合させてノックアウトピン６の移動範囲を規制する。これにより、ノックアウトピン６の交換が終了することになる。したがって、ダイ３を機体１側からわざわざ取り外したりすることなく、ノックアウトピン６をダイ３から直接取り外して簡単容易にかつ迅速に交換することができる。【００１９】  また、ダイ３における貫通孔３ｂの中間部に、その半径方向に延びる連通孔３ｃが形成されていると共に、その連通孔３ｃの中間部にストッパーピン１１の保持室３ｄが形成されている一方、ロック機構１０が、保持室３ｄに収容されかつ連通孔３ｃを介して貫通孔３ｂ内に出退可能に収容されるストッパーピン１１と、ストッパーピン１１を貫通孔３ｂから退出する方向に付勢するバネ１２と、ストッパーピン１１をばね１２に抗して貫通孔３ｂ内に進出させる作動ロッド１３と、作動ロッド１３をストッパ��ピン１１の出退方向に伸縮させるシリンダ１４とからなる構成としているので、ロック機構１０を、ダイ３内に収容されノックアウトピン６と係合するストッパーピン１１側と、シリンダ１４により伸縮してストッパーピン１１を作動する作動ロッド１３側とに分離して構成することができる。これにより、蹴り出し時にストッパーピン１１側に作用する荷重が直接作動ロッド１３やシリンダ１４側にかかる不具合を防止することができる。その上、ダイ３内にストッパーピン１１側をコンパクトにまとめて収容できるので、ロック機構１０の組み付けが簡単容易に行うことができるし、また、ストッパーピン１１のみの交換もダイ３の取り出しにより簡単容易に行うことができる。
【図面の簡単な説明】
【００２０】
【図１】  本考案に係るノックアウト装置の一部省略横断平面図である。
【図２】  同ノックアウトピンの取り出し状態を示す説明図である。
【符号の説明】
【００２１】  ３          ダイ
３ｂ        貫通孔
３ｃ        連通孔
３ｄ        保持室
６          ノックアウトピン
６ａ        小径軸部
７          蹴り出しピンロッド
１０        ロック機構
１１        ストッパーピン
１２        ばね
１３        作動ロッド
１４        シリンダ（作動手段）
【図１】
0003151629.tif 000003
【図２】
0003151629.tif 000004